(57)【要約】【課題】画像の輝度を確保しつつ小型化することが可能な反射型液晶表示装置を提供する。【解決手段】反射型液晶表示パネル２と偏光ビームスプリッター７との間に第一の透明部材１０が配置され、第一の透明部材１０の第一の面１０ａから第一の透明部材１０の内部へ入射した光が第一の透明部材１０の第三の面１０ｃに入射した際の光の臨界角をθ１とし、第一の透明部材１０の内部において第一の透明部材１０の第二の面１０ｂと第三の面１０ｃとが成す角度をα２とした場合、以下の式が成り立つ反射型液晶表示装置とする。この構成によれば、第一の透明部材１０の第一の面１０ａから第一の透明部材１０の内部へ入射した光を第一の透明部材１０の第二の面１０ｂと第三の面１０ｃとの間で効率良く全反射させることができる。   α２＝θ１／２ 【選択図】図１
2019120714.tif 000002
【特許請求の範囲】
【請求項１】
光源と、
画像表示面を有する反射型液晶表示パネルと、
前記光源から出射された光に含まれる互いに偏光軸が直交する二種類の直線偏光のうち一方の直線偏光のみを透過させる偏光板と、
前記偏光板を透過した前記一方の直線偏光を前記反射型液晶表示パネルの前記画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、
前記反射型液晶表示パネルと前記偏光ビームスプリッターとの間に配置された透明部材と、を備え、
前記透明部材は、前記偏光板を透過した前記一方の直線偏光が入射する第一の面と、前記偏光ビームスプリッターの前記光透過反射面と対向する第二の面と、前記反射型液晶表示パネルの前記画像表示面と対向する第三の面と、を有する、
反射型液晶表示装置であって、
前記偏光板を透過して前記透明部材の前記第一の面から前記透明部材の内部へ入射した前記一方の直線偏光が前記透明部材の前記第三の面に入射した際の光の臨界角をθ１とし、前記透明部材の内部において前記透明部材の前記第二の面と前記第三の面とが成す角度をα２とした場合、以下の式が成り立つことを特徴とする反射型液晶表示装置。
α２＝θ１／２
【請求項２】
前記透明部材の内部において前記透明部材の前記第一の面と前記第三の面とが成す角度をα１とした場合、以下の式が成り立つことを特徴とする請求項１に記載の反射型液晶表示装置。
６９°≦α１＋α２≦８０°
【請求項３】
前記透明部材を第一の透明部材として定義した場合において、前記偏光ビームスプリッターを挟んで前記第一の透明部材と対向する位置に配置された第二の透明部材を備え、前記第二の透明部材は、前記第一の透明部材の前記第二の面と対向する第一の面と、前記第二の透明部材の内部を伝播する光を観察者側へ出射させる第二の面と、を有し、前記第二の透明部材の内部において前記第二の透明部材の前記第一の面と前記第二の面とが成す角度をβ１とした場合、以下の式が成り立つことを特徴とする請求項１又は２に記載の反射型液晶表示装置。
α２＝β１
【請求項４】
前記透明部材を第一の透明部材として定義した場合において、前記偏光ビームスプリッターを挟んで前記第一の透明部材と対向する位置に配置された第二の透明部材と、前記第二の透明部材を収容する筐体と、を備え、前記筐体は、前記第二の透明部材の前記第二の面から出射した光を通過させる開口部を有し、前記開口部の周囲に位置する前記筐体の少なくとも一部は、前記第二の透明部材の前記第二の面の一部を覆う突出部を有することを特徴とする請求項１又は２に記載の反射型液晶表示装置。
【請求項５】
前記第二の透明部材は、前記筐体の前記突出部に覆われた領域に、前記反射型液晶表示パネルの前記画像表示面から出射された光の光軸に沿った断面が矩形状の突出部を有することを特徴とする請求項４に記載の反射型液晶表示装置。
【請求項６】
前記第二の透明部材の前記突出部は、前記筐体の前記突出部と前記反射型液晶表示パネルとで挟持されていることを特徴とする請求項５に記載の反射型液晶表示装置。
【請求項７】
前記第二の透明部材の前記突出部は、前記筐体の前記突出部と前記筐体の側面と前記反射型液晶表示パネルとで囲まれた実質的に前記第二の透明部材の前記突出部と同形状の空間に係合していることを特徴とする請求項６に記載の反射型液晶表示装置。
【発明の詳細な説明】
【技術分野】
【０００１】
本発明は、反射型液晶表示装置に関するものである。
【背景技術】
【０００２】
近年、反射型液晶表示装置の小型化、特に、反射型液晶表示装置の低背化は、観測者と液晶表示パネルの距離を近づけることで、液晶表示パネルの視認性や集光効率を向上させるために必要な技術とされている。図２は、従来の反射型液晶表示装置を示す縦断面図である。従来の反射型液晶表示装置では、回路基板１の同一面上に反射型液晶表示パネル２と光源３が配置されており、光源３の上方には、光源３から出射する光が反射型液晶表示パネル２の上方に配置された湾曲形状の偏光ビームスプリッター７へ向かって出射するように、反射板４が傾斜して配置されている。反射板４から偏光ビームスプリッター７へと進む光路上には、光を拡散させる拡散板５と、互いに偏光軸が直交する二種類の直線偏光のうち一方の直線偏光（以下Ｐ波とする）のみを透過させる偏光板６が配置されている。偏光ビームスプリッター７は、Ｐ波を反射し、それと偏光軸が直交する直線偏光（以下Ｓ波とする）を透過させるもので、偏光板６から偏光ビームスプリッター７に入射したＰ波を反射型液晶表示パネル２の画像表示面へ垂直に入射させるようにその傾斜角と光透過反射面の曲率が決められ、筐体８に保持されている。
【０００３】
反射型液晶表示パネル２は、電源オフ状態でＰ波がそのまま液晶を通過するように構成されており、偏光ビームスプリッター７側から垂直に入射したＰ波はそのまま液晶を通過し、反射型液晶表示パネル２の裏面側に設けられた反射要素（反射電極等）で垂直に反射され、反射されたＰ波は再び偏光ビームスプリッター７へ向かって進む。偏光ビームスプリッター７はＰ波を透過しない状態に配置されているため、反射型液晶表示パネル２で反射されたＰ波は遮断され、電源オフ状態では黒表示状態となる。
【０００４】
一方、反射型液晶表示パネル２は、電源オン状態ではＰ波をＳ波へと変換し、Ｓ波はＰ波と同様に反射型液晶表示パネル２の裏面側で反射され、偏光ビームスプリッター７へ向かって進む。偏光ビームスプリッター７はＳ波を透過する状態に配置されているので、電源オン状態では白表示となる。
【０００５】
以上のプロセスは反射型液晶表示パネル２の画素毎に行われ、偏光ビームスプリッター７を透過したＳ波が観察者の目９に入射し、映像として視認される。（例えば、特許文献１〜３参照）
【先行技術文献】
【特許文献】
【０００６】
【特許文献１】特開２００４−６１６９９号公報
【特許文献２】特開２０１１−１０７４５３号公報
【特許文献３】特開２００６−２３４９７３号公報
【発明の概要】
【発明が解決しようとする課題】
【０００７】
通常、液晶表示装置は高輝度を実現するために、観察者の目へほぼ垂直に光が入射するように設計される。従来の反射型液晶表示装置では、反射型液晶表示パネルでＰ波がほぼ垂直に反射するように偏光ビームスプリッターの傾斜角や曲率が決定されているため、最低でもそれを許容するだけの筐体の高さが必要であった。近年、反射型液晶表示装置の小型化が求められているが、そのために単に筐体の高さを低くすると、以下のような問題が生じる。図３は、従来の反射型液晶表示装置において筐体の高さを低くした状態を示す縦断面図である。図３に示すように、従来の反射型液晶表示において筐体８の高さを低くすると、筐体８に保持されている偏光ビームスプリッター７の傾斜角も小さくなる。この状態で、偏光板６を透過して偏光ビームスプリッター７に入射したＰ波は反射型液晶表示パネル２側に反射されるが、偏光ビームスプリッター７の傾斜角が小さいため、Ｐ波は反射型液晶表示パネル２の画像表示面へ斜めに入射し、反射型液晶表示パネル２からの反射光も観察者の目９から離れる方向へ出射することから観察者の目９に届く光は減少し、その分、画像の輝度が低下することとなる。
【０００８】
本発明は、以上の問題に鑑みたもので、画像の輝度を確保しつつ小型化することが可能な液晶表示装置を提供することを目的とする。
【課題を解決するための手段】
【０００９】
光源と、画像表示面を有する反射型液晶表示パネルと、前記光源から出射された光に含まれる互いに偏光軸が直交する二種類の直線偏光のうち一方の直線偏光のみを透過させる偏光板と、前記偏光板を透過した前記一方の直線偏光を前記反射型液晶表示パネルの前記画像表示面に向けて反射すると共に、前記反射型液晶表示パネルの前記画像表示面から出射された前記一方の直線偏光とは偏光軸が直交する他方の直線偏光を透過させる光透過反射面を有する偏光ビームスプリッターと、前記反射型液晶表示パネルと前記偏光ビームスプリッターとの間に配置された透明部材と、を備え、前記透明部材は、前記偏光板を透過した前記一方の直線偏光が入射する第一の面と、前記偏光ビームスプリッターの前記光透過反射面と対向する第二の面と、前記反射型液晶表示パネルの前記画像表示面と対向する第三の面と、を有する、反射型液晶表示装置であって、前記偏光板を透過して前記透明部材の前記第一の面から前記透明部材の内部へ入射した前記一方の直線偏光が前記透明部材の前記第三の面に入射した際の光の臨界角をθ１とし、前記透明部材の内部において前記透明部材の前記第二の面と前記第三の面とが成す角度をα２とした場合、以下の式が成り立つ反射型液晶表示装置とする。
α２＝θ１／２
【００１０】
前記透明部材の内部において前記透明部材の前記第一の面と前記第三の面とが成す角度をα１とした場合、以下の式が成り立つ反射型液晶表示装置とすることができる。
６９°≦α１＋α２≦８０°
【００１１】
前記透明部材を第一の透明部材として定義した場合において、前記偏光ビームスプリッターを挟んで前記第一の透明部材と対向する位置に配置された第二の透明部材を備え、前記第二の透明部材は、前記第一の透明部材の前記第二の面と対向する第一の面と、前記第二の透明部材の内部を伝播する光を観察者側へ出射させる第二の面と、を有し、前記第二の透明部材の内部において前記第二の透明部材の前記第一の面と前記第二の面とが成す角度をβ１とした場合、以下の式が成り立つ反射型液晶表示装置とすることができる。
α２＝β１
【００１２】
前記透明部材を第一の透明部材として定義した場合において、前記偏光ビームスプリッターを挟んで前記第一の透明部材と対向する位置に配置された第二の透明部材と、前記第二の透明部材を収容する筐体と、を備え、前記筐体は、前記第二の透明部材の前記第二の面から出射した光を通過させる開口部を有し、前記開口部の周囲に位置する前記筐体の少なくとも一部は、前記第二の透明部材の前記第二の面の一部を覆う突出部を有する反射型液晶表示装置とすることができる。
【００１３】
前記第二の透明部材は、前記筐体の前記突出部に覆われた領域に、前記反射型液晶表示パネルの前記画像表示面から出射された光の光軸に沿った断面が矩形状の突出部を有する反射型液晶表示装置とすることができる。
【００１４】
前記第二の透明部材の前記突出部は、前記筐体の前記突出部と前記反射型液晶表示パネルとで挟持されている反射型液晶表示装置とすることができる。
【００１５】
前記第二の透明部材の前記突出部は、前記筐体の前記突出部と前記筐体の側面と前記反射型液晶表示パネルとで囲まれた実質的に同形状の空間に係合している反射型液晶表示装置とすることができる。
【発明の効果】
【００１６】
本発明によると、画像の輝度を確保しつつ反射型液晶表示装置を小型化することができる。
【図面の簡単な説明】
【００１７】
【図１】本発明における反射型液晶表示装置の一実施形態を示す縦断面図
【図２】従来の反射型液晶表示装置を示す縦断面図
【図３】従来の反射型液晶表示装置において筐体の高さを低くした状態を示す縦断面図
【発明を実施するための形態】
【００１８】
図１は、本発明における反射型液晶表示装置の一実施形態を示す縦断面図である。本発明における反射型液晶表示装置の一実施形態は、従来の反射型液晶表示装置と同様に、以下の構成を備えている。回路基板１の同一面上には、反射型液晶表示パネル２と光源３が配置されており、光源３の上方には、光源３から出射した光が反射型液晶表示パネル２の上方に配置された偏光ビームスプリッター７へ向かって反射されるように、反射板４が傾斜して配置されている。反射板４から偏光ビームスプリッター７へと進む光路上には、光を拡散させる拡散板５と、Ｐ波のみを透過させる偏光板６が配置されている。偏光ビームスプリッター７は、Ｐ波を反射し、Ｓ波を透過させるもので、偏光板６を透過して偏光ビームスプリッター７に入射したＰ波を反射型液晶表示パネル２の画像表示面へほぼ垂直に入射させるように傾斜して配置されている。
【００１９】
ここで、図１に示す本実施形態の反射型液晶表示装置と図３に示す従来の反射型液晶表示装置とを比較すると、本実施形態では、筐体８の高さが従来よりも低背化されており、それに伴い反射型液晶表示パネル２の画像表示面に対する反射板４、拡散板５、偏光板６、偏光ビームスプリッター７の角度が従来よりも小さくなっている。また、従来の反射型液晶表示装置では、偏光ビームスプリッター７は筐体８の外形に沿うように筐体８の外表面付近に配置されていたが、本実施形態では、偏光ビームスプリッター７は筐体８の内部の中央付近に配置されている。本実施形態では、筐体８が従来よりも低背化されている分だけ各部品の設置位置も無駄が生じないように考慮され、全体として反射型液晶表示装置が小型化されている。
【００２０】
筐体８の内部には、偏光ビームスプリッター７と反射型液晶表示パネル２との間に第一の透明部材１０が配置され、偏光ビームスプリッター７を挟んで反射型液晶表示パネル２と対向する位置に第二の透明部材１１が配置されている。偏光ビームスプリッター７は第一の透明部材１０と第２の透明部材１１とで挟み込まれるように配置されている。第一の透明部材１０は三角柱状とされ、第二の透明部材１１は台形柱状とされており、それらの一側面を反射型液晶表示パネル２の画像表示面上に寝せた状態で互いに重なるように配置されている。
【００２１】
筐体８の上部には反射型液晶表示パネル２の画像表示面から出射された光を通過させる開口部８ａが設けられており、開口部８ａは筐体８の内側から第二の透明部材１１で塞がれている。開口部８ａの周囲に位置する筐体８の一部には開口部８ａへ向かって突出する突出部８ｂが設けられており、突出部８ｂはそれと対向する第二の透明部材１１の外周部と反射型液晶表示パネル２の外周部とを観察者側から遮蔽している。
【００２２】
第一の透明部材１０と第二の透明部材１１は、例えば光の屈折率が１．５程度のアクリル樹脂で構成されるが、筐体８内部の部品の設置位置や反射型液晶表示パネル２の大きさや形状等に応じて、屈折率や材質を変更することもできる。
【００２３】
第一の透明部材１０は、偏光板６の光出射面と対向する第一の面１０ａと、偏光ビームスプリッター７の光透過反射面と対向する第二の面１０ｂと、反射型液晶表示パネル２の画像表示面と対向する第三の面１０ｃとを有し、第一の面１０ａと第三の面１０ｃは、各々の一辺において互いに接続され、第二の面１０ｂは、互いに接続された第一の面１０ａと第三の面１０ｃの一辺とは反対側に位置する各々の一辺において第一の面１０ａと第三の面１０ｃに接続されている。
【００２４】
第一の透明部材１０の第一の面１０ａは、偏光板６の光出射面と平行となるように、且つ偏光板６の光出射面に空気層を介して近接して配置されている。尚、第一の透明部材１０の第一の面１０ａは、偏光板６の光出射面に空気層を介さずに例えば透明な接着部材等を介して密着して配置されていても良い。
【００２５】
第一の透明部材１０の第三の面１０ｃは、反射型液晶表示パネル２の画像表示面と平行となるように、且つ反射型液晶表示パネル２の画像表示面に空気層を介して近接して配置されている。尚、第一の透明部材１０の第三の面１０ｃは、偏光板６の光出射面に空気層を介さずに例えば透明な接着部材等を介して密着して配置されていても良い。
【００２６】
第一の透明部材１０の第二の面１０ｂは、偏光ビームスプリッター７の光透過反射面と平行となるように、且つ偏光ビームスプリッター７の光透過反射面に空気層を介して近接して配置されている。尚、第一の透明部材１０の第二の面１０ｂは、偏光ビームスプリッター７の光透過反射面に空気層を介さずに例えば透明な接着部材等を介して密着して配置されていても良い。
【００２７】
第一の透明部材１０の形状は、三角柱状のみに限定されず、例えば図１に示すように配置された状態で上側の角部が面取りされた台形柱状であっても良い。このような台形柱状に形成することで第一の透明部材１０の高さを抑制することができ、反射型液晶表示装置の低背化に繋がる。
【００２８】
第二の透明部材１１は、偏光ビームスプリッター７の光透過反射面と対向する第一の面１１ａと、筐体８の開口部８ａと対向する第二の面１１ｂと、光源３とは反対側の位置する筐体８の側面と対向する第三の面１１ｃと、反射型液晶表示パネル２の画像表示面の周囲に位置する領域と対向する第四の面１１ｄを有し、第一の面１１ａと第二の面１１ｂは、各々の一辺において互いに接続され、第三の面１１ｃと第四の面１１ｄは、互いに接続された第一の面１１ａと第二の面１１ｂの一辺とは反対側に位置する各々の一辺においてそれぞれ第二の面１１ｂと第一の面１１ａに接続され、それらが接続された一辺とは反対側に位置する各々の一辺において互いに接続されている。
【００２９】
第二の透明部材１１の外周部のうち第三の面１１ｃが設けられた部位は、図１に示すように筐体８の開口部８ａから側面へ向かって突出する断面（反射型液晶表示パネル２の画像表示面から出射された光の光軸に沿った断面）が矩形状の突出部１１ｅを構成している。第二の透明部材１１の突出部１１ｅは、筐体８の開口部８ａの周囲に設けられた筐体８の突出部８ｂにより、上から反射型液晶表示パネル２の外周部に向かって押さえ込まれるようにして固定され、必要に応じて筐体８の突出部８ｂと接着部材等で固定されている。第二の透明部材１１の突出部１１ｅは、筐体８の側面と突出部８ｂとで覆われており、偏光ビームスプリッター７から出射した光が第二の透明部材１１を通過する際に発生した不要な散乱光の一部は、第二の透明部材１１の突出部１１ｅにおいて、筐体８の側面と突出部８ｂに吸収される。第二の透明部材１１の突出部１１ｅは、筐体８の突出部８ｂと筐体８の側面と反射型液晶表示パネル２の外周部とで囲まれた実質的に突出部１１ｅと同形状の空間に係合し、構造的に安定した状態で保持されている。
【００３０】
第二の透明部材１１の突出部１１ｅにおいて、第二の透明部材１１の第二の面１１ｂと第三の面１１ｃには、例えばマットインク等の黒塗料を塗布することで、遮光層が形成されていても良い。この構成によれば、第二の透明部材１１の突出部１１ｅにおいて、不要な散乱光を遮光層で吸収することができる。
【００３１】
第一の透明部材１０の第一の面１０ａと第三の面１０ｃとが成す角度（内角）α１と、第一の透明部材１０の第二の面１０ｂと第三の面１０ｃとが成す角度（内角）α２と、第一の透明部材１０の光の屈折率は、第一の透明部材１０の第一の面１０ａから第一の透明部材１０の内部へ入射した光（Ｐ波）が反射型液晶表示パネル２の画像表示面側へ効率良く伝播するように設定されるのが望ましく、特に第一の透明部材１０の角度α２と第一の透明部材１０の屈折率は、第一の透明部材１０の第一の面１０ａから第一の透明部材１０の内部へ入射した光（Ｐ波）の主光束が、第一の透明部材１０の第二の面１０ｂと第三の面１０ｃで全反射されて第一の透明部材１０の内部を伝播し、反射型液晶表示パネル２の画像表示面の上方において光の入射角が臨界角θ以内になったところで、第一の透明部材１０の第二の面１０ｂから出射し、偏光ビームスプリッター７により反射されて反射型液晶表示パネル２の画像表示面へほぼ垂直に入射するように決定されるのが望ましい。臨界角θはスネルの法則から以下の式１に基づき決定される。ここで、ｎＡは空気層の屈折率、ｎＢは第一の透明部材１０の屈折率である。
ｓｉｎθ＝ｎＡ／ｎＢ          ・・・式１
【００３２】
ここで、第一の透明部材１０の内部においては、第一の透明部材１０の第三の面１０ｃにおける光の臨界角をθ１とし、第一の透明部材１０の第二の面１０ｂにおける光の臨界角をθ２とすると、数学的に、θ１＝９０°−（１８０°−９０°−２×θ２）という式が成り立つことから、この式を変形して、以下の式２が導き出される。
θ２＝θ１／２          ・・・式２
【００３３】
また、第一の透明部材１０の内部においては、数学的に、１８０°−９０°−θ２＝１８０°−９０°−α２という式が成り立つことから、この式を変形して、以下の式３が導き出される。
θ２＝α２          ・・・式３
【００３４】
また、式２と式３を整理して、以下の式４が導き出される。
α２＝θ１／２          ・・・式４
【００３５】
式４は、第一の透明部材１０の第一の面１０ａから入射した光が第二の面１０ｂと第三の面１０ｃとの間を効率良く全反射しながら伝播する条件を示している。即ち、第一の透明部材１０の第二の面１０ｂと第三の面１０ｃとが成す角度α２が、第一の透明部材１０の第三の面１０ｃにおける光の臨界角θ１の半分となるように設計することで、第一の透明部材１０の第一の面１０ａから入射した光をそれとは反対側へ効率良く伝播させることができる。
【００３６】
第一の透明部材１０の角度α２は、例えば２５°前後であるが、この角度には限定されない。
【００３７】
また、第一の透明部材１０の角度α２は、例えば以下の式５を満たすことで、第一の透明部材１０の高さを抑えつつ、光源３からの光を第一の透明部材１０の第一の面１０ａから効率良く入射させることができる。ここで、角度α１は、第一の透明部材１０の第一の面１０ａと第三の面１０ｃとが成す角度（内角）である。尚、式５の値が６９°よりも小さい場合には、第一の透明部材１０の高さはより減少するが、光源３からの光が第一の透明部材１０の第一の面１０ａから入射し難くなり、それとは逆に、式５の値が８０°よりも大きい場合には、光源３からの光は第一の透明部材１０の第一の面１０ａから入射し易くなるが、第一の透明部材１０の高さが増加し、小型化の妨げとなる。
６９°≦α１＋α２≦８０°          ・・・式５
【００３８】
第一の透明部材１０の屈折率、角度α１、角度α２は、観察者の目９が必要とする視野角と反射型液晶表示装置の大きさなどを考慮して決定され、例えば、空気層の屈折率を１とし、第一の透明部材１０の屈折率を１．５とし、視野角０°（観察者の目９に垂直）だけの光を考えた場合、式２は、以下の通りとなる。
ｓｉｎθ＝１／１．５
【００３９】
この場合、第一の透明部材１０の第三の面１０ｃにおける光の臨界角θ１は、４１．８°となり、第一の透明部材１０の角度α２は、式４により約２１°となるから、光源３からの光を第一の透明部材１０の内部で効率良く全反射させるためには、第一の透明部材１０の角度α２は、２１°前後であることが望ましい。
【００４０】
また、第一の透明部材１０の角度α２は、以下の式６を満たすことが望ましい。ここで、角度β１は、第二の透明部材１１の第一の面１１ａと第二の面１１ｂとが成す角度（内角）である。つまり、本実施形態では、第一の透明部材１０の第三の面１０ｃと第二の透明部材１１の第二の面１１ｂは、互いに平行であることが望ましく、このようにすることで、反射型液晶表示パネル２の画像表示面から出射された光を効率良く観察者の目９へ導くことができる。
α２＝β１          ・・・式６
【００４１】
本実施形態において、光源３から出射された光の主光束は、図１中矢印で示されるように、反射板４で反射され、拡散板５と偏光板６を透過してＰ波となり、空気層を経由して第一の透明部材１０の第一の面１０ａに入射する。第一の面１０ａに入射したＰ波は、第一の透明部材１０の内部を、第一の透明部材１０の第二の面１０ｂと第三の面１０ｃとの間で全反射しながら伝播し、その一部が第一の透明部材１０の第二の面１０ｂから外部へ出射して偏光ビームスプリッター７に入射する。偏光ビームスプリッター７に入射したＰ波は、偏光ビームスプリッター７で反射され、第一の透明部材１０の第二の面１０ｂに入射し、第一の透明部材１０の内部を経由して、第一の透明部材１０の第三の面１０ｃから外部へ出射して反射型液晶表示パネル２の画像表示面に入射する。反射型液晶表示パネル２の画像表示面に入射したＰ波は、そこで映像光（Ｐ波とＳ波の混合光）となって偏光ビームスプリッター７側へ反射され、第一の透明部材１０、偏光ビームスプリッター７、第二の透明部材１１を順次経由して、第二の透明部材１１の第二の面１１ｂから外部へ出射し、観察者の目９に画像として入射する。
【００４２】
光源３は、その光出射面が偏光板６の光入射面と対向する位置に配置されていても良い。
【００４３】
第一の透明部材１０と第二の透明部材１１は、互いに同じ屈折率の部材で構成されていても良いが、互いに異なる屈折率の部材で構成されていても良い。
【００４４】
第一の透明部材１０と第二の透明部材１１の形状は、互いに同じであっても良いが、互いに異なっていても良い。
【００４５】
第一の透明部材１０と第二の透明部材１１は、可視光を実質的に透過する材料であれば、無色透明の材料に限らず、着色された材料などで構成されていても良い。
【００４６】
第二の透明部材１１の突出部１１ｅの表面に形成される遮光層は、黒塗料やマットインクに限定されず、画像の色味等に応じてその他の色や質感のものであっても良い。
【符号の説明】
【００４７】
１        回路基板
２        反射型液晶表示パネル
３        光源
４        反射板
５        拡散板
６        偏光板
７        偏光ビームスプリッター
８        筐体
８ａ      開口部
８ｂ      突出部
９        観察者の目
１０      第一の透明部材
１０ａ    第一の面
１０ｂ    第二の面
１０ｃ    第三の面
１１      第二の透明部材
１１ａ    第一の面
１１ｂ    第二の面
１１ｃ    第三の面
１１ｄ    第四の面
１１ｅ    突出部
【図１】
2019120714.tif 000003
【図２】
2019120714.tif 000004
【図３】
2019120714.tif 000005